(57)【要約】【課題】  カレンダー等のカード類を保持する起立台紙の表示カード面にメモ等の書き込みをするときに、起立台紙を平らにすることが容易に出来る起立台紙を提供する。【解決手段】  一枚の厚紙によって各部が形成されている起立台紙８であって、その中央に自由屈曲部６を形成している底板部７とその底板部７の左右に屈曲部５を挟んで二つの支持板部３とを連接し、その支持板部３には少なくとも二本の切溝２を設ける。  そして、支持板部３の屈曲部５とは反対側となる側辺部分に帯状の接合部４を設け、その接合部４を連結して二等辺三角形の筒状とした起立台紙８を形成したことにある。  また、支持板部３の側辺に凹状側辺部９を設けたり、底板部７の自由屈曲部６と交差する切起し部１１を設けたりした起立台紙８を形成したことにある。【選択図】          図１
2006240273.tif 000002
【特許請求の範囲】
【請求項１】
一枚の厚紙によって各部が形成されているカード類を保持する起立台紙であって、この起立台紙の中央に自由屈曲部を形成している底板部を設け、その底板部より左右に屈曲部を挟んで向かい合う二つの支持板部を連接し、その二つの支持板部には少なくとも二本の切溝を設けて屈曲部とは反対側となる側辺部分に帯状の接合部を設け、その左右の接合部を連接しておよそ二等辺三角形の筒状としたことを特徴とする起立台紙。
【請求項２】
支持板部の側辺を内側に湾曲した凹状側辺部としたことを特徴とする請求項１記載の起立台紙。
【請求項３】
底板部に孔を設けた請求項１又は請求項２記載の起立台紙。
【請求項４】
底板部の自由屈曲部と交差する切起こし部を設けた請求項１乃至請求項３のうちいずれか１項に記載の起立台紙。
【発明の詳細な説明】
【技術分野】
【０００１】  この発明は、二等辺三角形の筒状としたカレンダー等のカード類を保持する起立台紙であって、その保持したカードの表示面にメモ等の書き込みを容易にし、コイル状の綴り具を使わずカレンダー以外の写真等にも使える起立台紙に関するものである。
【背景技術】
【０００２】  従来における二等辺三角形の筒状になる卓上カレンダーにおける起立台紙で、立ち上げ操作と折り畳み操作とが可能なものとしては、特許文献１で示すように、底板部より連接した係止部の先端となる左右に設けた係止舌片と支持板部に設けた切り抜きとによって上下方向へ移動可能に挿入し、その底板部を支持板部の内側に押し込むものがあった。【０００３】
【特許文献１】  登録実用第３０５４７８９号公報
【発明の開示】
【発明が解決しようとする課題】
【０００４】  従来の登録実用第３０５４７８９号公報においては、卓上カレンダーの立ち上げと平らにする折り畳みとの操作は、底板部を内側から引き出したり押し込んだりする操作が必要となるもので、簡単に出来るものではなかった。【０００５】  また、この卓上カレンダーの表示面にメモ等を記入するときには、カレンダーカードと支持板部とを平らになるように倒すと図６で示すように二等辺三角形の筒状のまま倒れた状態になるものであった。【０００６】  それから支持板部を卓上面と平らにするには、倒れた状態の底板部を内側に押し込まなければ底板部と支持板部とが平らにならないものであった。【０００７】  そこで、この発明は、上記課題に鑑み、図７に示すように、容易に起立台紙を卓上面で平らにすることが出来る起立台紙を提供すると共に、綴じ具を使用しない起立台紙にして、廃棄するときに公害物とならない地球環境を考慮したカレンダー等のカード類を保持する起立台紙を提供する。
【課題を解決するための手段】
【０００８】  本発明は、上記課題を達成するために、カレンダー等のカード類を保持する起立台紙を一枚の厚紙で形成されていて、年号、月表示、曜日、日時等を設けている表示カード１を挿入する切溝２を少なくとも二本設けた向かい合う二つの支持板部３を設けている。【０００９】  この二つの支持板部３の両端部分には幅のある帯状として結合する接合部４を設け、その左右の支持板部３の内側となる辺を屈曲部５とし、その二つの屈曲部５に挟まった状態として外折れや内折れが出来る自由屈曲部６のある底板部７を連設している。【００１０】  このような１枚の厚紙を、両端の接合部４で連結すると凡そ二等辺三角形の筒状とした起立台紙８が形成される。また、支持板部３の側辺には、内側に湾曲した凹状側辺部９を設けていて、切溝２に挿入した表示カード１の側辺と凹状側辺部９との側辺に段差が生じるものとしている。【００１１】  それから、底板部７に孔１０を設けることによって壁面に設けられたフックに吊り掛けて使用することが出来るものにも成る。【００１２】  更に、底板部７の自由屈曲部６と交差する切起し部１１を設けることによって、底板部７の自由屈曲部６を曲がらない状態に固定して起立状態をより安定にする場合には、切起し部１１を押し上げて起こすことで固定状態が出来ものである。また、直立している切起し部１１を底板部７と平らに戻せば、起立台紙８を平らにすることが出来る。【００１３】  この起立台紙８となる厚紙を、紙類の他にエコ紙や合成樹脂類等の素材を使用することは、当然考えられるものである。
【発明の効果】
【００１４】  本発明の起立状態から平面状態への変化が、押すだけのワンタッチで可能のため、表示カード面への書き込みが容易に出来る効果がある。【００１５】  また、表示カードとして、カレンダー以外の写真や伝言カードなど様々なカードを使うことが出来、支持板部の凹状側辺部が切溝に挿入した表示カードの側辺とに段差が出来るので、その表示カードの側辺が摘み易くなって取り外しが容易になる。【００１６】  帯状の接合部が摘み部分として使えるので起立台紙の移動や裏面への回転等の取り扱いが便利であり、この幅のある接合部を名入れ等の宣伝スペースとして使用することが出来、接合部の孔を上にした状態にして起立台紙を使用すれば、フック等にその孔を掛けることで壁面に吊り掛けて使用することも出来る。【００１７】  切起し部があるので起立台紙を安定状態にすることが出来、厚紙の一枚から形成しているのでコストが掛からず、綴り具の取り付けと廃棄するときの取り外しとの手間も掛からない。
【発明を実施するための最良の形態】
【００１８】  以下、実施例を図面にもとづいて説明する。
【実施例１】
【００１９】  本発明に係わる実施例の一つとしては、図１及び図２において示すように、机上等の平面に立ち上げ起立と平らに折り畳むこととができる表示カード１の起立台紙８が示されている。【００２０】  この起立台紙８は図２の展開図に示すような一枚の厚紙から形成されていて、中央に自由屈曲部６を設けている底板部７を形成し、その底板部７より左右に屈曲部５を挟んで向かい合う二つの支持板部３が連結されている。【００２１】    そして、二つの支持板部３には少なくとも二本の切溝２を設けていて、その支持板部３の屈曲部５とは反対側となる側辺部分には、幅のある帯状とした接合部４を設けたものとしている。【００２２】  この左右の接合部４は、図１に示すように、連結して二等辺三角形の筒状を形成するものであり、この起立台紙８の素材を厚紙によって形成しているがプラスチック類やエコ紙等の素材を使用することができるものである。【００２３】  この様な起立台紙８を使用するときには、年号、月表示、曜日、日付、等を設けている表字カード１を支持板部３の二本の切溝２に挿入して取り付け、机上面に底板部７を置いて起立状態にして使用する。【００２４】  この起立台紙８は上端に幅のある接合部４が存在するので、ここは名入れ等の宣伝スペースとして効果的に使え、これを摘むことによって卓上内を移動させることが容易に出来、裏側の支持板部３を表側に反転させるときにも接合部４を摘んで容易に反転ができるものである。【００２５】  したがって、一つの支持板部３にはカレンダーのカードを挿入し、他方の支持板部３には会議中、外出中等を表記した伝言カードや写真等を挿入しておくことができる。【００２６】  カレンダー等の表示カード１にメモ等を書き込むときには、図７に示す様に起立台紙８を後方に押すことで底板部７の自由屈曲部６と両屈曲部５とによって、図３に示すように平らにすることができるので表示カード１への書き込みが安定した状態で容易にできるものである。【００２７】  平らにした起立台紙８を起立状態に戻すときにも、接合部４を摘んで、底板部７の自由屈曲部６を机上面に当てて下に押せば起立台紙８が起立状態になるものである。【００２８】  支持板部３の左右両側辺に設けている湾曲状の凹状側辺部９は、切溝２に挿入した表示カード１の側辺とに段差を生むもので、表示カード１の側辺を摘んで引き抜くことが容易にできるものとしている。
【実施例２】
【００２９】  第２の実施例としては、図４に示すように、底板部７に孔１０を設けたものが考えられるもので、この孔１０は壁面等に設けてあるフックに掛けることができるもので、壁掛けカレンダーとして使用することも可能としたものであり、この孔１０にフックを掛けて使用するときには、表示カード１を机上に置いて使用するときのものとは反対に挿入することは当然である。
【実施例３】
【００３０】  第３の実施例としては、図５に示すように、底板部７の自由屈曲部６と交差する切起し部１１を設けることが考えられる。
この切起し部１１は、底板部７の自由屈曲部６が素材や自由屈曲部６の柔軟性によって底板部７を平らに保ち難い場合や二等辺三角形の筒状を堅持したいときに使用することが出来るものとしている。【００３１】  この切起し部１１は、指先で押し上げることで起立し、指先で押し下げれば平らになるものであるから、その操作は容易であり、その切起し部１１の形状は四角の他に半円形や台形など様々な形状とすることが考えられる。【００３２】  支持板部３に設けている二本の切溝２は、対向する二本の切溝２の間に更に切溝２を設けることが考えられるもので、支持板部３の中央に新たな二本の切溝２を設け、その二本の切溝２の間を透視可能なフイルムにし、その透視可能なフイルムから見える日付が特別な用件のあるものとすることに使用することが可能である。
【図面の簡単な説明】
【００３３】
【図１】  本発明の実施例１を示す斜視図である。
【図２】  本発明の実施例１を示す展開図である。
【図３】  カレンダーカードを挿入して机上に押し倒した状態を示す平面図である。
【図４】  孔によって壁面等に掛ける状態を示す平面図である。
【図５】  底板部に切起し部を設けた起立台紙を示す斜視図である。
【図６】  従来の卓上カレンダーを平らにする過程の説明図である。
【図７】  本発明の起立台紙を平らにする過程の説明図である。
【符号の説明】
【００３４】１  表示カード
２  切溝
３  支持板部
４  接合部
５  屈曲部
６  自由屈曲部
７  底板部
８  起立台紙
９  凹状側辺部
１０  孔
１１  切起し部
【図１】
2006240273.tif 000003
【図２】
2006240273.tif 000004
【図３】
2006240273.tif 000005
【図４】
2006240273.tif 000006
【図５】
2006240273.tif 000007
【図６】
2006240273.tif 000008
【図７】
2006240273.tif 000009